(57)【特許請求の範囲】
【請求項１】
無線移動通信システムにおいて移動局（ＭＳ）の睡眠モード動作を支援する方法であって、
前記方法は、
前記ＭＳによって、基地局（ＢＳ）から、トリガー情報を含む第１のメッセージを受信することであって、前記トリガー情報は、少なくとも１つのトリガー条件と、前記少なくとも１つのトリガー条件に達したときに実行される少なくとも１つのイベント動作とを含む、ことと、
前記ＭＳによって、前記ＢＳに、前記少なくとも１つのイベント動作が動作可能であるか否かを示す第１のビットマップを含む第１の動作可能トリガーパラメータを含む睡眠要請メッセージ（ＭＯＢ＿ＳＬＰ−ＲＥＱ）を伝送することと、
前記ＭＳによって、前記ＢＳから、前記少なくとも１つのイベント動作が許可されているか否かを示す第２のビットマップを含む第２の動作可能トリガーパラメータを含む睡眠応答メッセージ（ＭＯＢ＿ＳＬＰ−ＲＳＰ）を受信することと、
睡眠モードにおいて前記少なくとも１つのトリガー条件に達したときに、前記第２の動作可能トリガーパラメータによって示される前記少なくとも１つのイベント動作を実行することと
を含み、
前記第１のビットマップは、探知報告動作に関連するビット＃０と、ハンドオーバー要請動作に関連するビット＃１と、探知要請動作に関連するビット＃２とを含み、
前記第２のビットマップは、探知報告動作に関連するビット＃０と、ハンドオーバー要請動作に関連するビット＃１と、探知要請動作に関連するビット＃２とを含む、方法。
【請求項２】
前記少なくとも１つのトリガー条件は、搬送波対干渉及び雑音比（Ｃａｒｒｉｅｒ−ｔｏ−Ｉｎｔｅｒｆｅｒｅｎｃｅ  ａｎｄ  Ｎｏｉｓｅ  Ｒａｔｉｏ；ＣＩＮＲ）、受信信号強度指示子（Ｒｅｃｅｉｖｅｄ  Ｓｉｇｎａｌ  Ｓｔｒｅｎｇｔｈ  Ｉｎｄｉｃａｔｏｒ；ＲＳＳＩ）及び往復遅延（Ｒｏｕｎｄ  Ｔｒｉｐ  Ｄｅｌａｙ）のうちの少なくとも１つとして定義される、請求項１に記載の方法。
【請求項３】
前記トリガー情報は、前記トリガー条件のうちの少なくとも１つの計算方法を定義する機能フィールドをさらに含む、請求項２に記載の方法。
【請求項４】
前記第１のメッセージは、ダウンリンクチャネル説明子（Ｄｏｗｎｌｉｎｋ  Ｃｈａｎｎｅｌ  Ｄｅｓｃｒｉｐｔｏｒ；ＤＣＤ）メッセージまたは近隣広告（Ｎｅｉｇｈｂｏｒ  Ａｄｖｅｒｔｉｓｅｍｅｎｔ；ＭＯＢ＿ＮＢＲ−ＡＤＶ）メッセージである、請求項１に記載の方法。
【請求項５】
前記第２のビットマップの各ビットは、各ビットに対応する少なくとも１つのイベント動作が許可されていることを示すために１に設定される、請求項１に記載の方法。
【請求項６】
無線移動通信システムにおいて睡眠モード動作を支援する移動局（ＭＳ）であって、
前記ＭＳは、
基地局（ＢＳ）から、トリガー情報を含む第１のメッセージを受信することであって、前記トリガー情報は、少なくとも１つのトリガー条件と、前記少なくとも１つのトリガー条件に達したときに実行される少なくとも１つのイベント動作とを含む、ことと、
前記ＢＳに、前記少なくとも１つのイベント動作が動作可能であるか否かを示す第１のビットマップを含む第１の動作可能トリガーパラメータを含む睡眠要請メッセージ（ＭＯＢ＿ＳＬＰ−ＲＥＱ）を伝送することと、
前記ＢＳから、前記少なくとも１つのイベント動作が許可されているか否かを示す第２のビットマップを含む第２の動作可能トリガーパラメータを含む睡眠応答メッセージ（ＭＯＢ＿ＳＬＰ−ＲＳＰ）を受信することと、
睡眠モードにおいて前記少なくとも１つのトリガー条件に達したときに、前記第２の動作可能トリガーパラメータによって示される前記少なくとも１つのイベント動作を実行することと
を実行するように構成され、
前記第１のビットマップは、探知報告動作に関連するビット＃０と、ハンドオーバー要請動作に関連するビット＃１と、探知要請動作に関連するビット＃２とを含み、
前記第２のビットマップは、探知報告動作に関連するビット＃０と、ハンドオーバー要請動作に関連するビット＃１と、探知要請動作に関連するビット＃２とを含む、移動局。
【請求項７】
前記少なくとも１つのトリガー条件は、搬送波対干渉及び雑音比（Ｃａｒｒｉｅｒ−ｔｏ−Ｉｎｔｅｒｆｅｒｅｎｃｅ  ａｎｄ  Ｎｏｉｓｅ  Ｒａｔｉｏ；ＣＩＮＲ）、受信信号強度指示子（Ｒｅｃｅｉｖｅｄ  Ｓｉｇｎａｌ  Ｓｔｒｅｎｇｔｈ  Ｉｎｄｉｃａｔｏｒ；ＲＳＳＩ）及び往復遅延（Ｒｏｕｎｄ  Ｔｒｉｐ  Ｄｅｌａｙ）のうちの少なくとも１つとして定義される、請求項６に記載の移動局。
【請求項８】
前記トリガー情報は、前記トリガー条件のうちの少なくとも１つの計算方法を定義する機能フィールドをさらに含む、請求項７に記載の移動局。
【請求項９】
前記第１のメッセージは、ダウンリンクチャネル説明子（Ｄｏｗｎｌｉｎｋ  Ｃｈａｎｎｅｌ  Ｄｅｓｃｒｉｐｔｏｒ；ＤＣＤ）メッセージまたは近隣広告（Ｎｅｉｇｈｂｏｒ  Ａｄｖｅｒｔｉｓｅｍｅｎｔ；ＭＯＢ＿ＮＢＲ−ＡＤＶ）メッセージである、請求項６に記載の移動局。
【請求項１０】
前記第２のビットマップの各ビットは、各ビットに対応する少なくとも１つのイベント動作が許可されていることを示すために１に設定される、請求項６に記載の移動局。
【請求項１１】
無線移動通信システムにおいて移動局（ＭＳ）の睡眠モード動作を支援する方法であって、
前記方法は、
前記基地局（ＢＳ）によって、前記ＭＳに、トリガー情報を含む第１のメッセージを伝送することであって、前記トリガー情報は、少なくとも１つのトリガー条件と、前記少なくとも１つのトリガー条件に達したときに実行される少なくとも１つのイベント動作とを含む、ことと、
前記ＢＳによって、前記ＭＳから、前記少なくとも１つのイベント動作が動作可能であるか否かを示す第１のビットマップを含む第１の動作可能トリガーパラメータを含む睡眠要請メッセージ（ＭＯＢ＿ＳＬＰ−ＲＥＱ）を受信することと、
前記ＢＳによって、前記ＭＳに、前記少なくとも１つのイベント動作が許可されているか否かを示す第２のビットマップを含む第２の動作可能トリガーパラメータを含む睡眠応答メッセージ（ＭＯＢ＿ＳＬＰ−ＲＳＰ）を伝送することと
を含み、
前記少なくとも１つのトリガー条件に達したときに、前記第２の動作可能トリガーパラメータによって示される前記少なくとも１つのイベント動作が実行され、
前記第１のビットマップは、探知報告動作に関連するビット＃０と、ハンドオーバー要請動作に関連するビット＃１と、探知要請動作に関連するビット＃２とを含み、
前記第２のビットマップは、探知報告動作に関連するビット＃０と、ハンドオーバー要請動作に関連するビット＃１と、探知要請動作に関連するビット＃２とを含む、方法。
【請求項１２】
前記少なくとも１つのトリガー条件は、搬送波対干渉及び雑音比（Ｃａｒｒｉｅｒ−ｔｏ−Ｉｎｔｅｒｆｅｒｅｎｃｅ  ａｎｄ  Ｎｏｉｓｅ  Ｒａｔｉｏ；ＣＩＮＲ）、受信信号強度指示子（Ｒｅｃｅｉｖｅｄ  Ｓｉｇｎａｌ  Ｓｔｒｅｎｇｔｈ  Ｉｎｄｉｃａｔｏｒ；ＲＳＳＩ）及び往復遅延（Ｒｏｕｎｄ  Ｔｒｉｐ  Ｄｅｌａｙ）のうちの少なくとも１つとして定義される、請求項１１に記載の方法。
【請求項１３】
前記トリガー情報は、前記トリガー条件のうちの少なくとも１つの計算方法を定義する機能フィールドをさらに含む、請求項１２に記載の方法。
【請求項１４】
前記第１のメッセージは、ダウンリンクチャネル説明子（Ｄｏｗｎｌｉｎｋ  Ｃｈａｎｎｅｌ  Ｄｅｓｃｒｉｐｔｏｒ；ＤＣＤ）メッセージまたは近隣広告（Ｎｅｉｇｈｂｏｒ  Ａｄｖｅｒｔｉｓｅｍｅｎｔ；ＭＯＢ＿ＮＢＲ−ＡＤＶ）メッセージである、請求項１１に記載の方法。
【請求項１５】
前記第２のビットマップの各ビットは、各ビットに対応する少なくとも１つのイベント動作が許可されていることを示すために１に設定される、請求項１１に記載の方法。
【請求項１６】
無線移動通信システムにおいて移動局（ＭＳ）の睡眠モード動作を支援する基地局（ＢＳ）であって、
前記ＢＳは、
前記ＭＳに、トリガー情報を含む第１のメッセージを伝送することであって、前記トリガー情報は、少なくとも１つのトリガー条件と、前記少なくとも１つのトリガー条件に達したときに実行される少なくとも１つのイベント動作とを含む、ことと、
前記ＭＳから、前記少なくとも１つのイベント動作が動作可能であるか否かを示す第１のビットマップを含む第１の動作可能トリガーパラメータを含む睡眠要請メッセージ（ＭＯＢ＿ＳＬＰ−ＲＥＱ）を受信することと、
前記ＭＳに、前記少なくとも１つのイベント動作が許可されているか否かを示す第２のビットマップを含む第２の動作可能トリガーパラメータを含む睡眠応答メッセージ（ＭＯＢ＿ＳＬＰ−ＲＳＰ）を伝送することと
を実行するように構成され、
前記少なくとも１つのトリガー条件に達したときに、前記第２の動作可能トリガーパラメータによって示される前記少なくとも１つのイベント動作が実行され、
前記第１のビットマップは、探知報告動作に関連するビット＃０と、ハンドオーバー要請動作に関連するビット＃１と、探知要請動作に関連するビット＃２とを含み、
前記第２のビットマップは、探知報告動作に関連するビット＃０と、ハンドオーバー要請動作に関連するビット＃１と、探知要請動作に関連するビット＃２とを含む、基地局。
【請求項１７】
前記少なくとも１つのトリガー条件は、搬送波対干渉及び雑音比（Ｃａｒｒｉｅｒ−ｔｏ−Ｉｎｔｅｒｆｅｒｅｎｃｅ  ａｎｄ  Ｎｏｉｓｅ  Ｒａｔｉｏ；ＣＩＮＲ）、受信信号強度指示子（Ｒｅｃｅｉｖｅｄ  Ｓｉｇｎａｌ  Ｓｔｒｅｎｇｔｈ  Ｉｎｄｉｃａｔｏｒ；ＲＳＳＩ）及び往復遅延（Ｒｏｕｎｄ  Ｔｒｉｐ  Ｄｅｌａｙ）のうちの少なくとも１つとして定義される、請求項１６に記載の基地局。
【請求項１８】
前記トリガー情報は、前記トリガー条件のうちの少なくとも１つの計算方法を定義する機能フィールドをさらに含む、請求項１７に記載の基地局。
【請求項１９】
前記第１のメッセージは、ダウンリンクチャネル説明子（Ｄｏｗｎｌｉｎｋ  Ｃｈａｎｎｅｌ  Ｄｅｓｃｒｉｐｔｏｒ；ＤＣＤ）メッセージまたは近隣広告（Ｎｅｉｇｈｂｏｒ  Ａｄｖｅｒｔｉｓｅｍｅｎｔ；ＭＯＢ＿ＮＢＲ−ＡＤＶ）メッセージである、請求項１６に記載の基地局。
【請求項２０】
前記第２のビットマップの各ビットは、各ビットに対応する少なくとも１つのイベント動作が許可されていることを示すために１に設定される、請求項１６に記載の基地局。
【発明の詳細な説明】
【技術分野】
【０００１】
本発明は、ハンドオーバーを行うことに係り、より詳細には、無線移動通信システム内で電力消耗防止（ｐｏｗｅｒ  ｓａｖｉｎｇ）モードにある移動局（ｍｏｂｉｌｅ  ｓｔａｔｉｏｎ；ＭＳ）によるハンドオーバーに関する動作（ａｃｔｉｏｎ）を行う方法に関する。
【背景技術】
【０００２】
広帯域無線接続システムにおいて、電力消耗防止モードまたは睡眠（ｓｌｅｅｐ）モードは移動局（ｍｏｂｉｌｅ  ｓｔａｔｉｏｎ：ＭＳ）の電力消耗を最小化するのに用いられることができる。電力消耗防止モードは、睡眠期間及び聴取（ｌｉｓｔｅｎｉｎｇ）期間を含み、これらは、ＭＳによる動作中に繰り返される。睡眠期間の長さ（または、持続期間（ｄｕｒａｔｉｏｎ））は、睡眠ウィンドウの値により決定される。同様に、聴取期間の長さ（または、持続期間）は、聴取ウィンドウの値により決定される。これらの値は、対応するＭＳの定められたトラフィックの特性に基づいてそれぞれ決定される。また、ＭＳは、電力消耗防止クラスと関連したトラフィックの特性による３タイプの電力消耗防止クラスによって代表されることができる。
【０００３】
より具体的には、３つの電力消耗防止クラスタイプは、電力消耗防止モードクラスタイプ１（以下、クラス１）、電力消耗防止モードクラスタイプ２（以下、クラス２）、及び電力消耗防止モードクラスタイプ３（以下、クラス３）に分類される。
【０００４】
クラス１は、初期睡眠ウィンドウ（ｉｎｉｔｉａｌ  ｓｌｅｅｐ  ｗｉｎｄｏｗ）、最終ウィンドウ基礎（ｆｉｎａｌ  ｗｉｎｄｏｗ  ｂａｓｅ）、最終ウィンドウ指数（ｆｉｎａｌ  ｗｉｎｄｏｗ  ｅｘｐｏｎｅｎｔ）、聴取ウィンドウ及び睡眠ウィンドウの開始フレーム番号により定義されることができる。また、クラス１は、存在するインターネットトラフィックまたは非実時間変動レート（ｎｏｎ−ｒｅａｌ−ｔｉｍｅ  ｖａｒｉａｂｌｅ  ｒａｔｅ；ｎｒｔ−ＶＲ）を特徴づけるＢＥ（Ｂｅｓｔ  Ｅｆｆｒｏｔ）のような特徴に焦点を当てる。
【０００５】
クラス２は、初期睡眠ウィンドウ、聴取ウィンドウ及び睡眠ウィンドウの開始フレーム番号により定義される。また、クラス２は、ＶｏＩＰ（Ｖｏｉｃｅ  ｏｖｅｒ  Ｉｎｔｅｒｎｅｔ  Ｐｒｏｔｏｃｏｌ；ＶｏＩＰ）及びｎｒｔ−ＶＲのような特徴に焦点を当てる。
【０００６】
クラス３は、最終ウィンドウ基礎、最終ウィンドウ指数及び睡眠ウィンドウの開始フレーム番号により定義される。また、クラス３は、ダウンリンクチャネル説明子（Ｄｏｗｎｌｉｎｋ  Ｃｈａｎｎｅｌ  Ｄｅｓｃｒｉｐｔｏｒ；ＤＣＤ）／アップリンクチャネル説明子（Ｕｐｌｉｎｋ  Ｃｈａｎｎｅｌ  Ｄｅｓｃｒｉｐｔｏｒ；ＵＣＤ）及び近隣広告（ｎｅｉｇｈｂｏｒ  ａｄｖｅｒｔｉｓｅｍｅｎｔ；ＭＯＢ＿ＮＢＲ＿ＡＤＶ）のような管理メッセージを、電力消耗防止モードにあるＭＳに周期的に伝達するためのものであるか、または、マルチキャスト転送を介して送られるデータのためのものである。
【０００７】
常時電力消耗防止クラスタイプは、電力消耗防止モードの異なるタイプを説明する。このような異なるクラスタイプの動作は、ＭＳの基地局（ＢＳ）へのハンドオーバー（ｈａｎｄｏｖｅｒ）の基礎である。電力消耗防止モードにある間には、ＭＳは近隣基地局の信号品質情報を受信する。これらの近隣基地局の信号品質は、探知（ｓｃａｎ）動作を行うことによって測定されることができる。ハンドオーバー動作が行われる前に、サービング（ｓｅｒｖｉｎｇ）ＢＳは、ハンドオーバートリガー（ｔｒｉｇｇｅｒ）情報をＭＳに転送し、これはハンドオーバーを行うのに用いられる。ここで、サービングＢＳとは、ＭＳが電力消耗防止モードに入るのを許容するＢＳのことをいう。受信したハンドオーバートリガー情報を用い、ＭＳは、ハンドオーバートリガー情報において特定の条件を満足する時にハンドオーバーを行う。
【０００８】
電力消耗防止モード内にあるＭＳが探知要請メッセージ及び探知応答メッセージをそれぞれ転送及び受信しないとしても、ＭＳは、近隣基地局への探知動作を行い、近隣基地局の信号品質を測定する。この探知動作の結果（すなわち、近隣基地局の信号品質、該受信した信号の強度、及び／または転送遅れ）が、探知動作が行われる度にサービングＢＳに探知報告メッセージを介して転送されると、ＭＳによるアップリンク転送のための電力消費が増加するという問題につながる。これと同時に、サービングＢＳが、電力消耗防止モード内で動作するＭＳから探知結果を受信するのに失敗すると、以降、ＭＳのハンドオーバー動作は適切に制御されることが不可能になる。
【発明の概要】
【発明が解決しようとする課題】
【０００９】
したがって、本発明は、関連技術の制限及び短所による一つ以上の問題を根本的に回避するための、無線移動通信システムにおいて電力消耗防止モードにある移動局（ＭＳ）によるハンドオーバーと関連した動作を行うための方法を指向する。
【００１０】
本発明の目的は、無線移動通信システムにおいて電力消耗防止モードにある移動局によるハンドオーバーに関する動作を行う方法を提供することにある。
【００１１】
本発明の他の目的は、無線移動通信システムにおいて電力消耗防止モードにある移動局（ＭＳ）のための基地局によるハンドオーバーに関連した動作を提供する方法を提供することにある。
【００１２】
本発明の付加的な長所、目的及び特徴は、下記の説明で開示され、部分的には後述する実施により関連技術分野における当業者にとっては明白になり、または、本発明の練習により習得することができる。本発明の目的及び他の長所は本文書の添付図面だけでなく記述された説明及び請求項で具体的に指摘された構造により実現されて獲得されることができる。
【課題を解決するための手段】
【００１３】
このような目的及び他の長所を獲得し、本発明の目的を達成するために、ここで実施され且つ広範囲に説明されたように、移動局（ＭＳ）によるハンドオーバーと関連した動作を行う方法は、ハンドオーバーを行うための一つ以上の動作及び前記一つ以上の動作に該当する一つ以上の条件を含む情報を基地局（ＢＳ）から受信するＭＳを含む。また、前記ＭＳは、前記ＢＳから前記受信した情報に基づく前記一つ以上の動作を行うために要請メッセージを転送し、前記要請メッセージに応答して応答メッセージを受信する。最後に、前記ＭＳは、前記受信した応答メッセージに応じて前記一つ以上の動作を行う。
【００１４】
本発明の他の様態によれば、電力消耗防止モードにある移動局（ｍｏｂｉｌｅ  ｓｔａｔｉｏｎ；ＭＳ）のためにＢＳによるハンドオーバーと関連した動作を提供する方法において、前記移動局（ＭＳ）にハンドオーバーを行うための一つ以上の動作及び前記一つ以上の動作に該当する一つ以上の条件を含む情報を転送するＢＳを含む。その後、前記ＢＳは、前記ＭＳから前記受信した情報に基づく一つ以上の動作を行うことを要請する要請メッセージを受信し、その要請メッセージに応答して応答メッセージを転送する。
【００１５】
本発明は、例えば、以下の事項も提供する。
（項目１）
無線移動通信システムで電力消耗防止モードにある移動局（ｍｏｂｉｌｅ  ｓｔａｔｉｏｎ；ＭＳ）によるハンドオーバーと関連した動作を行う方法において、
基地局（ｂａｓｅ  ｓｔａｔｉｏｎ；ＢＳ）から、ハンドオーバーを行うための一つ以上の動作及び前記一つ以上の動作に該当する一つ以上の条件を含む情報を受信する段階と、
前記ＢＳから受信した情報に基づく前記一つ以上の動作を行うために要請メッセージを転送する段階と、
前記要請メッセージの応答として応答メッセージを受信する段階と、
前記受信した応答メッセージによって前記一つ以上の動作を行う段階と、
を含むことを特徴とする、ハンドオーバーと関連した動作を行う方法。
（項目２）
前記情報は、搬送波対干渉及び雑音比（Ｃａｒｒｉｅｒ−ｔｏ−Ｉｎｔｅｒｆｅｒｅｎｃｅ  ａｎｄ  Ｎｏｉｓｅ  Ｒａｔｉｏ；ＣＩＮＲ）、受信信号強度指示子（Ｒｅｃｅｉｖｅｄ  Ｓｉｇｎａｌ  Ｓｔｒｅｎｇｔｈ  Ｉｎｄｉｃａｔｏｒ；ＲＳＳＩ）及び往復遅延（Ｒｏｕｎｄ  Ｔｒｉｐ  Ｄｅｌａｙ）のうち一つ以上を含むトリガータイプを定義することを特徴とする、項目１に記載のハンドオーバーと関連した動作を行う方法。
（項目３）
前記情報は、トリガリング（ｔｒｉｇｇｅｒｉｎｇ）動作のための計算方法であるトリガー機能を定義することを特徴とする、項目１に記載のハンドオーバーと関連した動作を行う方法。
（項目４）
前記一つ以上の動作は、探知（ｓｃａｎｎｉｎｇ）要請、探知報告及びハンドオーバー要請を含むことを特徴とする、項目１に記載のハンドオーバーと関連した動作を行う方法。
（項目５）
前記情報は、一つ以上のトリガータイプの測定された値を比較するために用いられた値を表すトリガー値を定義することを特徴とする、項目１に記載のハンドオーバーと関連した動作を行う方法。
（項目６）
前記情報は、一つ以上の動作をトリガーするための条件を決定するために一つ以上のトリガータイプが測定され平均される時間持続期間を表すトリガー平均持続期間を定義することを特徴とする、項目１に記載のハンドオーバーと関連した動作を行う方法。
（項目７）
前記トリガータイプは、搬送波対干渉及び雑音比（ＣＩＮＲ）、受信信号強度指示子（ＲＳＳＩ）及び往復遅延のうち一つ以上を含むことを特徴とする、項目６に記載のハンドオーバーと関連した動作を行う方法。
（項目８）
前記要請メッセージは、前記電力消耗防止モードに進入するために用いられることを特徴とする、項目１に記載のハンドオーバーと関連した動作を行う方法。
（項目９）
前記要請メッセージは、前記電力消耗防止モードの間に行われる前記一つ以上の動作を指示するためのビットマップを含むことを特徴とする、項目８に記載のハンドオーバーと関連した動作を行う方法。
（項目１０）
前記ビットマップは、複数のビットによって表され、‘０’値を持つビットは、可能でない動作を表すことを特徴とする、項目９に記載のハンドオーバーと関連した動作を行う方法。
（項目１１）
前記ビットマップのそれぞれのビットが‘０’値を持つと、全ての動作が可能でないということを指示することを特徴とする、項目１０に記載のハンドオーバーと関連した動作を行う方法。
（項目１２）
前記ビットマップは、複数のビットによって表され、‘１’の値を持つビットは、可能な動作を表すことを特徴とする、項目９に記載のハンドオーバーと関連した動作を行う方法。
（項目１３）
前記応答メッセージは、前記電力消耗防止モードの間に行われる前記一つ以上の動作を指示するためのビットマップを含むことを特徴とする、項目１に記載のハンドオーバーと関連した動作を行う方法。
（項目１４）
前記ビットマップは、複数のビットによって表され、‘０’値を持つビットは、可能でない動作を表すことを特徴とする、項目１３に記載のハンドオーバーと関連した動作を行う方法。
（項目１５）
前記ビットマップは、複数のビットによって表され、‘１’値を持つビットは、可能な動作を表すことを特徴とする、項目１３に記載のハンドオーバーと関連した動作を行う方法。
（項目１６）
前記応答メッセージ内に含まれた前記ビットマップは、前記要請メッセージ内に含まれた前記ビットマップと同一であることを特徴とする、項目１３に記載のハンドオーバーと関連した動作を行う方法。
（項目１７）
前記応答メッセージ内に含まれた前記ビットマップは、前記要請メッセージ内に含まれた前記ビットマップと異なることを特徴とする、項目１３に記載のハンドオーバーと関連した動作を行う方法。
（項目１８）
前記情報は、ダウンリンクチャネル説明子（Ｄｏｗｎｌｉｎｋ  Ｃｈａｎｎｅｌ  Ｄｅｓｃｒｉｐｔｏｒ；ＤＣＤ）メッセージまたは近隣広告（Ｎｅｉｇｈｂｏｒ  Ａｄｖｅｒｔｉｓｅｍｅｎｔ；ＭＯＢ＿ＮＢＲ−ＡＤＶ）メッセージ内に含まれることを特徴とする、項目１に記載のハンドオーバーと関連した動作を行う方法。
（項目１９）
前記要請メッセージは、睡眠要請（ＭＯＢ＿ＳＬＰ−ＲＥＱ）メッセージまたはレンジング（ｒａｎｇｉｎｇ）要請（ＲＮＧ−ＲＥＱ）メッセージであることを特徴とする、項目１に記載のハンドオーバーと関連した動作を行う方法。
（項目２０）
前記応答メッセージは、睡眠応答（ＭＯＢ＿ＳＬＰ−ＲＥＱ）メッセージまたはレンジング要請（ＲＮＧ−ＲＳＰ）メッセージであることを特徴とする、項目１に記載のハンドオーバーと関連した動作を行う方法。
（項目２１）
前記電力消耗防止モードは、睡眠モードであることを特徴とする、項目１に記載のハンドオーバーと関連した動作を行う方法。
（項目２２）
無線移動通信システムで電力消耗防止モードにある移動局（ｍｏｂｉｌｅ  ｓｔａｔｉｏｎ；ＭＳ）のためにＢＳによるハンドオーバーと関連した動作を提供する方法において、
前記移動局（ＭＳ）にハンドオーバーを行うための一つ以上の動作及び前記一つ以上の動作に該当する一つ以上の条件を含む情報を転送する段階と、
前記ＭＳから前記受信した情報に基づく一つ以上の動作を行うようと要請する要請メッセージを受信する段階と、
前記要請メッセージに応答して応答メッセージを転送する段階と、
を含むことを特徴とする、ハンドオーバーと関連した動作を提供する方法。
当然のことながら、上述した本発明についての一般的な説明と以下の詳細な説明はいずれも例示的且つ説明的なものであり、請求されたような本発明に関する追加的な説明が提供されることができる。
【図面の簡単な説明】
【００１６】
【図１】電力消耗防止クラス１のプロセスを示す例示図である。
【図２】電力消耗防止クラス２のプロセスを示す例示図である。
【図３】電力消耗防止クラス３のプロセスを示す例示図である。
【図４】電力消耗防止クラス３のプロセスを示す他の例示図である。
【図５】様々なサービスタイプを示すＭＳの電力消耗防止モードの例を示す図である。
【図６】ＭＳによるハンドオーバープロセスを示す例示図である。
【図７】ＭＯＢ＿ＳＣＡＮ−ＲＥＰＯＲＴを転送するための動作が可能な時の電力消耗防止モードの動作の一例を示す。
【図８】ハンドオーバー要請メッセージ（ＭＯＢ＿ＭＳＨＯ−ＲＥＱ）を転送するための動作が可能な時の電力消耗防止モードの動作の一例を示す。
【図９】探知動作を行うための動作が可能な時の電力消耗防止の動作の一例を示す。
【図１０】連係（ａｓｓｏｃｉａｔｉｏｎ）を行うための動作が可能な時の電力消耗防止モードの動作の一例を示す。
【発明を実施するための形態】
【００１７】
以下、添付の図面に基づき、本発明の好適な実施例について詳細に説明する。図面中、可能な限り、同一の構成要素には可能な限り同一の参照符号を付する。
【００１８】
前述したように、３タイプの電力消耗防止モードがある。各電力消耗防止モードの適切な遂行のために、ＢＳ及びＭＳは、パラメータ及びレンジング（ｒａｎｇｉｎｇ）応答（ＲＮＧ−ＲＳＰ）メッセージのような必要な情報を交換する。パラメータは、ＢＳ及びＭＳ間の交換されたメッセージ中に含まれる。これらのメッセージは、例えば、睡眠要請（ＭＯＢ＿ＳＬＰ＿ＲＥＱ）メッセージ、睡眠応答（ＭＯＢ＿ＳＬＰ＿ＲＳＰ）メッセージ及びトラフィック指示（ＭＯＢ＿ＴＲＦ＿ＩＮＤ）により定義されることができる。
【００１９】
表１は、睡眠要請（ＭＯＢ＿ＳＬＰ＿ＲＥＱ）メッセージの一例を示す。睡眠要請（ＭＯＢ＿ＳＬＰ＿ＲＥＱ）メッセージは、睡眠モードへの進入のための要請を含み、ＭＳによりサービングＢＳに転送されたメッセージの一つである。睡眠要請メッセージ内には、（複数の）睡眠期間及び（複数の）聴取期間に関する情報が含まれることができる。以下、‘睡眠期間’という用語は、‘睡眠ウィンドウ’または‘睡眠ウィンドウの持続期間’という用語と同じ意味で使われることができる。
【００２０】
【表１】
0005134134.tif 000002
表２は、睡眠応答（ＭＯＢ＿ＳＬＰ−ＲＳＰ）メッセージの一例を示す。睡眠応答（ＭＯＢ＿ＳＬＰ＿ＲＳＰ）メッセージは、睡眠モード関連情報を含み、ＢＳからＭＳに転送されるメッセージの一つである。睡眠応答メッセージは、例えば、（複数の）睡眠期間、（複数の）聴取期間及び睡眠識別に加えて睡眠モードの許容を含む。
【００２１】
【表２−１】
0005134134.tif 000003
【００２２】
【表２−２】
0005134134.tif 000004
表３は、周期的にブロードキャストされるトラフィック指示子（ＭＯＢ＿ＴＲＦ＿ＩＮＤ）メッセージの一例である。睡眠モード中にあるＭＳは、聴取期間の間に、ブロードキャストされたトラフィック指示子（ＭＯＢ＿ＴＲＦ＿ＩＮＤ）メッセージを受信し、睡眠モードを維持するか、ダウンリンクデータを受信するために睡眠モードから抜け出るか、または、睡眠モードの間にレンジング（ｒａｎｇｉｎｇ）動作を行うか否かを決定する。
【００２３】
【表３−１】
0005134134.tif 000005
【００２４】
【表３−２】
0005134134.tif 000006
表４は、レンジング応答（ＲＮＧ−ＲＳＰ）メッセージ内に含まれた電力消耗防止クラスパラメータの一例を示す。電力消耗防止クラスパラメータは、可変的な長さを持つことができる。すなわち、この電力消耗防止クラスパラメータは、特定のタイプパラメータ（すなわち、タイプ２１）と定義されることができ、可変的な長さを持つパラメータを選択的に含むことができる複合（ｃｏｍｐｏｕｎｄ）パラメータに分類されることができる。
【００２５】
【表４−１】
0005134134.tif 000007
【００２６】
【表４−２】
0005134134.tif 000008
ハンドオーバー前のＭＳの動作は、次の通りである。第一に、ＭＳは、探知動作を行うことができる。探知動作は、ＭＳが近隣基地局の信号を受信し、これらの受信した信号の信号品質を測定し、これらの測定された信号のうち最適の信号品質を持つＢＳを決定するようにする。このため、ＭＳは、サービングＢＳに探知動作許容を要請するために探知要請（ＭＯＢ＿ＳＣＮ＿ＲＥＱ）メッセージを用いることができる。この要請に応答して、サービングＢＳは、ＭＳが信号品質を測定するために近隣基地局の探知動作を開始することを許容する探知応答（ＭＯＢ＿ＳＣＮ＿ＲＳＰ）メッセージを送ることができる。探知応答メッセージには、探知周期のような、探知動作を行うのに必要なパラメータが含まれることができる。
【００２７】
表５には、探知報告（ＭＯＢ＿ＳＣＡＮ−ＲＥＰＯＲＴ）メッセージの一例を示す。
【００２８】
【表５−１】
0005134134.tif 000009
【００２９】
【表５−２】
0005134134.tif 000010
【００３０】
【表５−３】
0005134134.tif 000011
動作中には、ＭＳは、近隣基地局の探知動作から獲得された情報（すなわち、信号品質、受信信号の強度、転送遅延）をサービングＢＳに転送するために表５の一つのような探知報告メッセージを用いることができる。サービングＢＳは、ＭＳが近隣ＢＳを探知した結果の情報に基づいてハンドオーバーを行うことを許容するか否かを決定する。
【００３１】
ハンドオーバーを行うのにかかる時間は、連係（ａｓｓｏｃｉａｔｉｏｎ）を行うことにより短縮することができる。連係は、実際にハンドオーバーを行う前の過程またはプロセスと関連する。具体的には、ＭＳは、探知動作を介して近隣基地局の信号品質を最初に測定でき、初期レンジング動作を行うことができる。ここで、最初レンジング動作中に用いられるレンジングパラメータは、実際のハンドオーバー中に再使用されることができる。より具体的には、ＭＳは、近隣ＢＳとの連結を要請するためにサービングＢＳに探知要請（ＭＯＢ＿ＳＣＮ−ＲＥＱ）メッセージを送ることができる。応答するサービングＢＳは、探知応答（ＭＯＢ＿ＳＣＮ−ＲＳＰ）メッセージを介して近隣ＢＳと接続するのに必要なパラメータ（すなわち、接続実行時間、接続時に用いられた資源情報）を提供することができる。
【００３２】
前述したように、ＭＳは、探知動作を使用することによって近隣基地局の信号品質を測定でき、この測定された信号品質を含む当該探知動作の結果をサービングＢＳに報告する。その後、ＭＳは、絶対または相対規格を用いて当該近隣基地局から提供されうる信号品質のレベルを、それらの近隣基地局から受信した実際信号品質のレベルと比較する。この比較を完了した後に、ＭＳ及び／またはサービングＢＳは、ハンドオーバーを行うか否かを決定できる。
【００３３】
ＭＳが様々な動作を行うのに必要な条件及び値は、表６に示すように、特定のパラメータと共に転送されることができる。ここで、パラメータは、近隣基地局の探知する動作、この探知動作の結果を報告する動作、近隣ＢＳと接続する動作、及び該ＢＳとハンドオーバーを行う動作などと関連した情報を含むことができる。これらの特定されたパラメータは、サービングＢＳのダウンリンクチャネル説明子（Ｄｏｗｎｌｉｎｋ  Ｃｈａｎｎｅｌ
Ｄｅｓｃｒｉｐｔｏｒ；ＤＣＤ）または近隣ＢＳ広告（ＭＯＢ＿ＮＢＲ−ＡＤＶ）メッセージ内に含まれることができ、以降、サービングＢＳからＭＳに転送されることができる。
【００３４】
表６は、異なるイベントをトリガーするのに用いられるパラメータの値の一例を示す。
【００３５】
【表６】
0005134134.tif 000012
表７は、異なるイベントをトリガーするのに用いられるパラメータの条件の値の一例を示す。
【００３６】
【表７】
0005134134.tif 000013
図１は、電力消耗防止クラス１の過程を示す例示図である。図１の電力消耗防止クラス１内において、ＭＳは、ＢＳに電力消耗防止モードへの進入を要請するためにメッセージを送り、この電力消耗防止クラスは、その該当するＭＳに伝達するダウンリンクトラフィックにおいて、当該電力消耗防止モードが終了するまで維持される。より詳細な動作について説明すると、次の通りである。
【００３７】
すなわち、ＭＳは、初期睡眠ウィンドウ、最終睡眠ウィンドウ及び聴取ウィンドウの値を設定する。これらの値は、以降、電力消耗防止モードへの進入を要請するためにＢＳに転送される睡眠要請（ＭＯＢ＿ＳＬＰ＿ＲＥＱ）メッセージ中に含まれる。ＢＳが電力消耗防止モードへの進入を許容する時にまたは許容すると、ＢＳは、ｉｎｔｅｒ  ａｌｉａ、初期睡眠ウィンドウ、最終睡眠ウィンドウ、聴取ウィンドウ及び初期睡眠ウィンドウの開始フレームを、該当するＭＳエーゲの応答メッセージ（すなわち、ＭＯＢ−ＳＬＰ−ＲＳＰ）中に含める。
【００３８】
ＭＳが電力消耗防止モードに進入すると、ＭＳは、初期睡眠ウィンドウの持続期間と同じ持続期間の間に電力消耗防止モードを保つ。この電力消耗防止モードの満了後に、ＭＳは（複数の）トラフィック指示（ＭＯＢ−ＴＲＦ−ＩＮＤ）メッセージを聴取区間の間にＢＳから受信する。例えば、否定（ｎｅｇａｔｉｖｅ）指示と言われる、該当するＭＳへのダウンリンクトラフィックまたはデータがないと、以降ＭＳは電力消耗防止モードに再進入する。しかし、この場合の電力消耗防止モードは、それ以前の持続期間より２倍も長くなる。
【００３９】
（複数の）聴取区間においてその該当するＭＳのためのダウンリンクトラフィックが継続していないと、以降、ＭＳが当該聴取区間の後にダウンリンクトラフィックを受信するのに失敗した後に、電力消耗防止モードに再進入する度に、連続した電力消耗防止モードの持続期間は特定の割合（すなわち、２フォルド（ｔｗｏ  ｆｏｌｄ））だけ増加する。電力消耗防止モードの持続期間における増加は、下記の方程式で例示されることができる。ここで、最終睡眠ウィンドウの大きさまたは持続期間は、睡眠応答メッセージ内に含まれた最終睡眠ウィンドウ基礎及び最終ウィンドウ指数を用いて決定されることができる。
【００４０】
［方程式１］
最終睡眠ウィンドウ＝最終睡眠ウィンドウ基礎＊２最終ウィンドウ指数
これに対し、聴取区間中に、肯定（ｐｏｓｉｔｉｖｅ）指示（ｉｎｄｉｃａｔｉｏｎ）で指示されたＭＳに発送されたダウンリンクトラフィックがあれば、以降、ＭＳは電力消耗防止モードを終了する。
【００４１】
図２は、電力消耗防止クラス２の過程を示す例示図である。図２は、固定されたデータ率を提供する非要請提供サービス（Ｕｎｓｏｌｉｃｉｔｅｄ  Ｇｒａｎｔ  Ｓｅｒｖｉｃｅ；ＵＧＳ）及び実時間変動サービス（Ｒｅａｌ  Ｔｉｍｅ  Ｖａｒｉａｂｌｅ  Ｓｅｒｖｉｃｅ；ＲＴ−ＶＲ）のうちいずれか一つを利用するＭＳ及び電力消耗防止クラス２内のＭＳの動作過程を示す。
【００４２】
より具体的には、ＭＳは、表１のメッセージに類似する睡眠要請メッセージを電力消耗防止クラス２への進入を要請するためにＢＳに転送する。この要請メッセージを受信すると、ＢＳは、ＭＳに応答メッセージを送ることにより電力消耗防止クラス２への進入を許容する。応答メッセージは、睡眠区間、聴取区間及びＭＳにより設定された電力消耗防止モードの開始フレームを含むことができる。ＭＳが開始フレームに進入すると、ＭＳは睡眠区間の間に電力消耗防止モードにとどまる。
【００４３】
睡眠区間が満了すると、ＭＳは、アップリンク／ダウンリンク通信を維持するためにＢＳと同期化する。ＭＳは、以降、ＢＳからダウンリンクデータを受信することができ、同時に聴取区間の間にＢＳにアップリンクデータを転送することができる。聴取区間が終わると、ＭＳは、電力消耗を最小化するために睡眠区間の周期と同じ周期の間に、電力消耗防止モードを維持する。その後、聴取及び睡眠区間は、電力消耗防止クラス２内のＭＳにより繰り返される。
【００４４】
ＭＳが電力消耗防止クラス２を終了することを希望すると、ＭＳは聴取区間の間にＢＳに電力消耗防止クラス２を終了するための要請を含む睡眠要請メッセージを送ることができる。または、これと違い、ＭＳは睡眠区間の間にＢＳに使用者データを転送することができる。電力消耗防止クラス２が終わった後に、ＭＳは正常動作モード内にとどまる。
【００４５】
図３は、電力消耗防止クラス３の過程を示す例示図である。より具体的には、図３は、ＢＳとアップリンク／ダウンリンク通信を維持し、また、電力消耗を低減するためにＢＳとレンジング動作を行うＭＳを説明することによって電力消耗防止クラス３のプロセスを示す。図３で、ＭＳは、電源をつけてネットワーク進入プロセスを行うことにより正常動作モードに進入する。正常モードの間に、ＭＳは、ＢＳとアップリンク／ダウンリンク通信を維持するために周期的にレンジング動作を行う。周期的なレンジング動作の過程で、ＭＳは適切なアップリンク転送パラメータを獲得する。また、ＭＳが周期的なレンジング動作を行う時間では、ＭＳはレンジング要請（ＲＮＧ−ＲＥＱ）メッセージをＢＳに転送する。
【００４６】
ＭＳからレンジング要請メッセージ（ＲＮＧ−ＲＥＱ）を受信した後に、ＢＳは、該当するＭＳにアップリンク転送パラメータの調整された値を含むレンジング応答（ＲＮＧ−ＲＳＰ）メッセージを転送することにより応答する。ここで、レンジング応答メッセージは、例えば、電力消耗防止クラス３が活性化されうるように睡眠ウィンドウ及び開始フレームを含むことができる。
【００４７】
ＭＳは、電力消耗防止モードを活性化するのに必要な情報を含むレンジング応答（ＲＮＧ−ＲＳＰ）メッセージを受信した後に、電力消耗防止モードの開始を指示する開始フレームがわかる。その後、ＭＳは睡眠ウィンドウの持続期間の間に電力消耗防止モード内にとどまる。睡眠ウィンドウ周期が満了すると、ＭＳは、ＭＳがＢＳと通信するのを許容するモードにあることになる。以降、ＭＳは周期的なレンジング動作を行う。レンジング動作の間に、ＭＳは、ＢＳからアップリンク転送及び電力消耗防止モードと関連したパラメータを含むレンジング応答（ＲＮＧ−ＲＳＰ）メッセージを受信する。電力消耗防止モードに進入する時間になると、ＭＳは電力消耗防止モードに進入（または、活性化）し、睡眠ウィンドウの持続期間の間に電力消耗防止モード内にとどまる。
【００４８】
図４は、電力消耗防止クラス３の過程を示す他の例示図である。図４は、電力を保全するために、マルチキャスト接続を介してＢＳからデータを受信するＭＳにより採用された電力消耗防止クラス３の過程を示す。
【００４９】
ＢＳは、ＭＳが電力消耗防止クラス３を活性化するようにするためにＭＳに睡眠応答（ＭＯＢ＿ＳＬＰ−ＲＳＰ）メッセージを転送する。ＭＳが開始フレームから始まる睡眠応答（ＭＯＢ＿ＳＬＰ−ＲＳＰ）メッセージを受信すると、ＭＳは、睡眠ウィンドウに進入したり活性化し、睡眠ウィンドウの持続期間の間に電力消耗防止モード内にとどまる。睡眠ウィンドウの終了時に、ＭＳは、ＭＳがＢＳと通信可能なモードを始め、マルチキャスト接続を介してＢＳからデータを受信する。
【００５０】
ＢＳは、マルチキャスト接続の間にデータ転送を終えた後に、マルチキャスト接続を介して次のデータ転送時まで電力消耗を低減できるようにするために、ＭＳに睡眠応答（ＭＯＢ＿ＳＬＰ−ＲＳＰ）メッセージを転送することにより電力消耗防止クラス３を活性化する。ＭＳでは、睡眠ウィンドウの持続期間の間に電力消耗防止モードに進入することにより睡眠応答（ＭＯＢ＿ＳＬＰ−ＲＳＰ）メッセージに応答する。広帯域無線接続システムでＭＳの電力消耗を低減するために、各接続は、接続のサービスタイプによって個々のコンテクスト（ｃｏｎｔｅｘｔ）または電力消耗防止クラスに関ることができる。
【００５１】
図５は、様々なサービスタイプを表すＭＳの電力消耗防止モードの一例を示す。図５に示すように、活性化された一つ以上の電力消耗防止クラスを持つＭＳは、各電力消耗防止クラスの間で睡眠ウィンドウ同士が重なる睡眠ウィンドウの間に、電力消耗防止モードにあることになる。上述したように、ＭＳは、電力消耗防止モードの間にはＢＳとのアップリンク転送を行わない。
【００５２】
上述したように、ＭＳ及びサービングＢＳは、サービスタイプによって表される各接続に基づいて電力消耗防止モードを活性化する。このように、ＭＳは電力消耗を最小化することができる。または、これと違い、ＭＳは電力消耗防止モードの間にも、近隣基地局から受信した信号品質レベルを探す探知動作のような、ハンドオーバー前の事前ハンドオーバー（ｐｒｅ−ｈａｎｄｏｖｅｒ）動作、及び、睡眠ウィンドウ中に実際ハンドオーバーを行う前にＢＳとレンジング動作を行う連係プロセスを行うことができる。
【００５３】
サービングＢＳは、探知、連係及びハンドオーバーのような動作を含むハンドオーバートリガー情報をＭＳに転送する。すると、ＭＳでは、状況が受信したハンドオーバートリガー情報に基づく条件を満足する時に必要で且つ適切な動作を行う。
【００５４】
図６は、ＭＳによるハンドオーバー過程を示す例示図である。図６で、サービングＢＳは、チャネル情報パラメータを転送するのに用いられるメッセージであるＤＣＤを使用することによってハンドオーバートリガー情報を転送したり近隣広告（ａｄｖｅｒｔｉｓｅｍｅｎｔ）（ＭＯＢ＿ＮＢＲ−ＡＤＶ）メッセージを転送する。上述のように、ハンドオーバートリガー情報は、ＭＳがハンドオーバー動作を実行するのに必要な情報を含む。
【００５５】
ＭＳは、サービングＢＳからハンドオーバートリガー情報を受信した後に、近隣基地局の探知を行う条件が満たされる時に、サービングＢＳから探知周期（または、持続期間）の割当を要請する探知要請（ＭＯＢ＿ＳＣＮ−ＲＥＱ）メッセージを送ることができる。
【００５６】
この探知要請メッセージを受信した後に、サービングＢＳは、探知応答（ＭＯＢ＿ＳＣＮ−ＲＳＰ）メッセージ内に含まれた探知周期（または、持続期間）を割り当てる。探知周期の間に、ＭＳは、近隣ＢＳとダウンリンク信号を同期化し、特に、信号品質、信号強度及び転送同期（ｓｙｎｃｈｒｏｎｉｚａｔｉｏｎ）を測定する。
【００５７】
ＭＳは、探知を完了した後に、近隣基地局の探知結果をサービングＢＳに送るべき場合では、探知報告（ＭＯＢ＿ＳＣＡＮ−ＲＥＰＯＲＴ）メッセージを用いる。より具体的には、探知報告は、搬送波対干渉及び雑音比（Ｃａｒｒｉｅｒ−ｔｏ−Ｉｎｔｅｒｆｅｒｅｎｃｅ  ａｎｄ  Ｎｏｉｓｅ  Ｒａｔｉｏ；ＣＩＮＲ）、受信信号強度指示子（Ｒｅｃｅｉｖｅｄ  Ｓｉｇｎａｌ  Ｓｔｒｅｎｇｔｈ  Ｉｎｄｉｃａｔｏｒ；ＲＳＳＩ）及び往復遅延（Ｒｏｕｎｄ  Ｔｒｉｐ  Ｄｅｌａｙ）のような情報を含む。
【００５８】
ＭＳが近隣ＢＳとの連係を行うべき場合では、ＭＳは、サービングＢＳに近隣ＢＳとの連係を要請するための探知要請（ＭＯＢ−ＳＣＮ＿ＲＥＱ）メッセージを転送することができる。その応答として、サービングＢＳは、探知応答（ＭＯＢ＿ＳＣＮ−ＲＳＰ）メッセージを介して近隣ＢＳとの連係を行うのに必要なパラメータを転送する。これらの必要なパラメータを受信した後に、ＭＳは、近隣ＢＳとの連係を行う。
【００５９】
ＭＳが、探知または連係動作の後に、ハンドオーバートリガー情報を参照したのち特定のＢＳとハンドオーバー動作を行わねばならない場合では、ＭＳは、サービングＢＳにハンドオーバーを要請するためのハンドオーバー要請（ＭＯＢ＿ＭＳＨＯ−ＲＥＱ）メッセージを使用することができる。このメッセージを受信すると、サービングＢＳは、ハンドオーバー応答（ＭＯＢ＿ＭＳＨＯ−ＲＳＰ）メッセージをＭＳに転送する。その後、ＭＳは、サービングＢＳとのサーバー接続解除を要請するために、サービングＢＳにハンドオーバー指示（ＭＯＢ＿ＨＯ−ＩＮＤ）メッセージを転送する。その後、ＭＳは、ターゲット（ｔａｒｇｅｔ）ＢＳ及びネットワークへの再進入（ｒｅ−ｅｎｔｒｙ）のための動作を行う。
【００６０】
表８は、睡眠要請（ＭＯＢ＿ＳＣＰ−ＲＥＱ）メッセージの一例である。
【００６１】
【表８−１】
0005134134.tif 000014
【００６２】
【表８−２】
0005134134.tif 000015
ＭＳが電力消耗防止モードへの切替または進入を希望すると、ＭＳは、睡眠要請（ＭＯＢ＿ＳＬＰ−ＲＥＱ）メッセージを転送することによって電力消耗防止モードへの進入を要請することができる。ここで、睡眠要請（ＭＯＢ＿ＳＬＰ−ＲＥＱ）メッセージは、電力消耗防止モード内にあるＭＳがハンドオーバートリガー情報に関するそれぞれのハンドオーバー関連動作を行わねばならないか否かと関連した情報を含むことができる。
【００６３】
電力消耗防止モードにあるＭＳがハンドオーバートリガー情報に関するそれぞれのハンドオーバー関連動作を行わねばならないか否かに関する情報は、睡眠要請（ＭＯＢ＿ＳＬＰ−ＲＥＱ）メッセージの特定フィールドを介して転送されることができる。表９は、‘動作可能トリガー（Ｅｎａｂｌｅｄ−Ｔｒｉｇｇｅｒ）’フィールドと呼ばれる睡眠要請（ＭＯＢ＿ＳＬＰ−ＲＥＱ）メッセージの特定フィールドの一例である。具体的に、表９は、イベントトリガー動作を可能にするパラメータの一例を説明するものである。
【００６４】
【表９】
0005134134.tif 000016
表９のパラメータは、タイプ長さ値（Ｔｙｐｅ  Ｌｅｎｇｔｈ  Ｖａｌｕｅ；ＴＬＶ）パラメータで睡眠要請（ＭＯＢ＿ＳＬＰ−ＲＥＱ）メッセージまたはレンジング要請（ＲＮＧ−ＲＥＱ）メッセージを介してＢＳに転送されることができる。より具体的には、表９のパラメータは、ＭＳが電力消耗防止モードに進入した時に、それぞれのイベントがイネーブルされるかディセーブルされるかを交渉するのに用いられることができる。また、表９のパラメータは、睡眠要請（ＭＯＢ＿ＳＬＰ−ＲＥＱ）、睡眠応答（ＭＯＢ＿ＳＬＰ−ＲＥＱ）、レンジング要請（ＲＮＧ−ＲＥＱ）及びレンジング応答（ＲＮＧ−ＲＳＰ）メッセージ内に含まれることができる。
【００６５】
動作可能トリガー（Ｅｎａｂｌｅｄ−Ｔｒｉｇｇｅｒ）は、ビットマップ（ｂｉｔｍａｐ）の形態内にあり得る。ビットマップフォーマップ内の動作可能トリガーパラメータは、サービングＢＳに、該当するイベントがＭＳによりトリガーされるということを通知するのに用いられることができる。動作中に、ＭＳは、各ビットを‘１’（すなわち、ビット＝１）と設定でき、（複数の）設定ビットを睡眠要請（ＭＯＢ＿ＳＬＰ＿ＲＥＱ）メッセージを介してサービングＢＳに送ることができる。上記ハンドオーバートリガー情報に基づき、そのイベントトリガー条件がＭＳの電力消耗防止モードの間に‘１’と設定されたイベントに関して満足すると、サービングＢＳには、ＭＳによって該当のイベントがトリガーされるということが通知されることができる。
【００６６】
このサービングＢＳは、動作可能トリガーパラメータを含む睡眠要請（ＭＯＢ＿ＳＬＰ−ＲＥＱ）メッセージを受信すると、表９に示すように、動作可能トリガーパラメータを設定でき、睡眠応答（ＭＯＢ＿ＳＬＰ−ＲＳＰ）メッセージを介してＭＳにその設定された情報を転送することができる。または、これと違い、睡眠応答（ＭＯＢ−ＳＬＰ−ＲＳＰ）メッセージは、表１０によって設定された動作可能トリガーパラメータを含むことができる。
【００６７】
表１０は、睡眠応答（ＭＯＢ＿ＳＬＰ−ＲＳＰ）メッセージの一例である。
【００６８】
【表１０−１】
0005134134.tif 000017
【００６９】
【表１０−２】
0005134134.tif 000018
【００７０】
【表１０−３】
0005134134.tif 000019
睡眠応答（ＭＯＢ＿ＳＬＰ−ＲＳＰ）メッセージ内に含まれた動作可能トリガーパラメータは、睡眠要請（ＭＯＢ＿ＳＬＰ−ＲＥＱ）メッセージにおけると同様に、ビットマップ形態内にある。同様に、それぞれのビットマップが‘１’に設定され、ＭＳの電力消耗防止モードの間に表７のようなハンドオーバートリガー情報に基づくトリガー条件が満たされると、サービングＢＳは、ＭＳに該当のイベントをトリガーするようとの指示を通知する。
【００７１】
図７は、ＭＯＢ＿ＳＣＡＮ＿ＲＥＰＯＲＴを転送するための動作がイネーブルされる時の電力消耗防止モードの動作の一例を示す。より具体的には、図７は、動作可能トリガーパラメータによって開始されたＭＳ電力消耗防止モードの動作の間に、ハンドオーバートリガー情報に基づくＭＳのハンドオーバーに関する動作を示す。
【００７２】
図７で、ＭＳは、ＤＣＤメッセージまたはＭＯＶ＿ＮＢＲ−ＡＤＶメッセージを介してハンドオーバートリガー情報を受信する。電力消耗防止モードへの進入を要請する時、ＭＳは、表８及び表９に示すように、動作可能トリガーパラメータの最初ビット（すなわち、ビット＃０）を‘１’に設定する。ここで、動作可能トリガーパラメータの最初ビットを設定するということは、ＭＯＢ＿ＳＣＡＮ−ＲＥＰＯＲＴを転送するための動作がイネーブルされるということを意味する。その後、設定された情報は、睡眠要請（ＭＯＢ＿ＳＬＰ−ＲＥＱ）メッセージを介してサービングＢＳに転送される。
【００７３】
続いて、サービングＢＳは、表９及び表１０に示すように、動作可能トリガーパラメータの最初ビット（すなわち、ビット＃０）を‘１’に設定し、設定された情報を睡眠応答（ＭＯＢ＿ＳＬＰ−ＲＳＰ）メッセージを介してＭＳに転送する。サービングＢＳから睡眠応答（ＭＯＢ＿ＳＬＰ−ＲＳＰ）メッセージを受信すると、ＭＳは電力消耗防止モードに進入する。
【００７４】
電力消耗防止モード中にあるＭＳは、睡眠区間の間にまたは睡眠ウィンドウ持続期間の間に、近隣基地局への探知動作を行うことができる。ＭＳが電力消耗防止モードに進入した後に条件を満足すると、ＭＳには探知結果報告が要請される。その後、ＭＳは、近隣基地局に関する探知結果をサービングＢＳに提供するために、探知報告（ＭＯＢ＿ＳＣＡＮ−ＲＥＰＯＲＴ）メッセージをサービングＢＳに転送する。サービングＢＳに探知結果を報告した後に、ＭＳは、電力消耗防止モードを保つ。
【００７５】
図８は、ハンドオーバー要請メッセージ（ＭＯＢ＿ＭＳＨＯ−ＲＥＱ）を転送するための動作がイネーブルされる時の電力消耗防止モード動作の一例である。図８に示すように、ＭＳは、ＤＣＤメッセージまたはＭＯＢ＿ＮＢＲ−ＡＤＶメッセージを介してハンドオーバートリガー情報を受信する。ＭＳは、電力消耗防止モードへの進入を要請するとき、表９及び表１０に示すように、動作可能トリガーパラメータの２番目のビット（すなわち、ビット＃１）を‘１’に設定する。ここで、動作可能トリガーパラメータの２番目のビットを設定するということは、ＭＯＢ＿ＭＳＨＯ−ＲＥＱを転送するための動作がイネーブルされることを意味する。以降、設定された情報は、睡眠要請（ＭＯＢ＿ＳＬＰ−ＲＥＱ）メッセージを介してサービングＢＳに転送される。
【００７６】
続いて、サービングＢＳは、表９及び表１０に示すように、動作可能パラメータの２番目のビット（すなわち、ビット＃１）を‘１’に設定し、この設定された情報を睡眠応答（ＭＯＢ＿ＳＬＰ−ＲＳＰ）メッセージを介してＭＳに転送する。この睡眠応答メッセージをサービングＢＳから受信した後に、ＭＳは、電力消耗防止モードに進入する。
【００７７】
電力消耗防止モードにあるＭＳは、睡眠区間または睡眠ウィンドウの持続期間の間に近隣ＢＳ探知動作を行うことができる。ＭＳは、電力消耗防止モードに進入した後に条件を満たすと、サービングＢＳに探知結果を報告するようとの要請を受ける。以降、ＭＳは、電力消耗防止モードを終了し、ハンドオーバー要請（ＭＯＢ＿ＭＳＨＯ−ＲＥＱ）メッセージをサービングＢＳに転送し、これにより他のＢＳ（すなわち、ＢＳ２）へのハンドオーバーを要請する。ハンドオーバー要請（ＭＯＢ＿ＭＳＨＯ−ＲＥＱ）メッセージの応答において、サービングＢＳはＭＳにハンドオーバー応答（ＭＯＢ＿ＭＳＨＯ−ＲＳＰ）メッセージを転送する。
【００７８】
その後、ＭＳは、サービングＢＳにハンドオーバー指示（ＭＯＢ＿ＨＯ−ＩＮＤ）メッセージを転送することによってサービングＢＳとの接続解除を要請する。接続解除後に、ＭＳはターゲットＢＳ（すなわち、ＢＳ２）及びネットワークへの進入のために必要な動作を行う。
【００７９】
図９は、探知区間を要請するための動作がイネーブルされる時の、電力消耗防止モード動作の一例である。図９で、ＭＳは、ＤＣＤメッセージまたはＭＯＢ＿ＮＢＲ−ＡＤＶメッセージを介してハンドオーバートリガー情報を受信する。ＭＳが電力消耗防止モードへの進入を要請すると、ＭＳは、表８及び９に示すように、動作可能トリガーパラメータの３番目のビット（すなわち、ビット＃２）を‘１’に設定する。ここで、動作可能トリガーパラメータの３番目のビットを設定するということは、ＭＯＢ＿ＳＣＮ−ＲＥＱを要請するための動作がイネーブルされることを意味する。その後、設定された情報は睡眠要請（ＭＯＢ＿ＳＬＰ−ＲＥＱ）メッセージを介してサービングＢＳに転送される。
【００８０】
その後、サービングＢＳは、表９及び１０に示すように、動作可能トリガーパラメータの３番目のビット（すなわち、ビット＃２）を‘１’に設定し、設定された情報を、睡眠応答（ＭＯＢ＿ＳＬＰ−ＲＳＰ）メッセージを介してＭＳに転送する。サービングＢＳから睡眠応答メッセージを受信した後に、ＭＳは、電力消耗防止モードに進入する。
【００８１】
ＭＳは、電力消耗防止モードに進入した後に条件を満たすと、以降、近隣ＢＳ探知動作を行うようと要請される。その後、ＭＳは探知周期の割当を要請するためにサービングＢＳに探知要請（ＭＯＢ＿ＳＣＮ−ＲＥＱ）メッセージを転送する。探知要請（ＭＯＢ＿ＳＣＮ−ＲＥＱ）メッセージへの応答において、サービングＢＳは探知周期の割当を含む探知応答（ＭＯＢ＿ＳＣＮ−ＲＳＰ）メッセージを転送する。
【００８２】
探知周期の間に、ＭＳは近隣基地局とダウンリンク信号を同期化し、ｉｎｔｅｒ  ａｌｉａ、近隣基地局からの信号品質、信号強度及び転送遅延を測定する。ＭＳは、探知動作を行った後には、電力消耗防止モードを保つ。
【００８３】
図１０は、連係を行うためのイベントがイネーブルされた時の電力消耗防止モード動作の一例である。図１０において、ＭＳは、ＤＣＤメッセージまたはＭＯＢ＿ＮＢＲ−ＡＤＶメッセージを介してハンドオーバートリガー情報を受信する。ＭＳが電力消耗防止モードへの進入を要請すると、ＭＳは、表８及び９に示すように、動作可能トリガーパラメータの４番目のビット（すなわち、ビット＃３）を‘１’に設定する。ここで、動作可能トリガーパラメータの４番目のビットを設定するということは、連係を行うための動作がイネーブルされたことを意味する。その後、設定された情報は睡眠要請（ＭＯＢ＿ＳＬＰ−ＲＥＱ）メッセージを介してサービングＢＳに転送される。
【００８４】
その後、サービングＢＳは、表９及び表１０に示すように、動作可能トリガーパラメータの４番目のビット（すなわち、ビット＃３）を‘１’に設定し、設定された情報を、睡眠応答（ＭＯＢ＿ＳＬＰ−ＲＳＰ）メッセージを介してＭＳに転送する。ＭＳは、サービングＢＳから睡眠応答メッセージを受信した後に、電力消耗防止モードに進入する。ここで、電力消耗防止モードにあるＭＳは、睡眠モードの間に近隣ＢＳ探知動作を行うことができる。
【００８５】
ＭＳは、電力消耗防止モードに進入した後に条件を満たすと、近隣ＢＳ（すなわち、ＢＳ２）との連係を行うように要請される。その後、ＭＳは、近隣ＢＳ（すなわち、ＢＳ２）との連係を行うことを要請するためにサービングＢＳに探知要請（ＭＯＢ＿ＳＣＮ−ＲＥＱ）メッセージを転送する。探知要請（ＭＯＢ＿ＳＣＮ−ＲＥＱ）メッセージの応答において、サービングＢＳは、探知応答（ＭＯＢ＿ＳＣＮ−ＲＳＰ）メッセージを介して近隣ＢＳ（すなわち、ＢＳ２）との連係を行うために必要なパラメータを転送する。続いて、ＭＳは、連係を行うために近隣ＢＳ（すなわち、ＢＳ２）とアップリンク／ダウンリンク方向で同期化される。
【００８６】
また、ＭＳは、レンジング（ｒａｎｇｉｎｇ）要請（ＲＮＧ−ＲＥＱ）メッセージを近隣ＢＳ（すなわち、ＢＳ２）に転送する。応答において、近隣ＢＳ（すなわち、ＢＳ２）は、レンジング応答（ＲＮＧ−ＲＳＰ）メッセージを介してＭＳに連係パラメータと共にレンジング制御パラメータを転送する。一特徴として、ＭＳは、近隣ＢＳ（すなわち、ＢＳ２）から受信した連係パラメータを維持し、以降、該当するＢＳとハンドオーバーを行う時に連係パラメータを再使用することができる。レンジング応答（ＲＮＧ−ＲＳＰ）メッセージを受信した後、ＭＳは、電力消耗防止モードを保つ。
【００８７】
上述のように、電力消耗防止モード内にあるＭＳにより行われたハンドオーバー動作及び関連イベントは、本発明で開示されたパラメータによってイネーブルまたはディセーブルされることができる。より具体的には、このイネーブル／ディセーブルは、ＭＳが電力消耗防止モードに進入する時にビットマップの形態で表されることができる。ここで、複数のイベントは、グループとしてイネーブルまたはディセーブルされることができる。本発明の実施例では複数のイベントがイネーブルされる場合を示している。
【００８８】
本発明の本質や範囲を逸脱しない限度内で本発明の様々な改変ができることは、本技術分野に熟練した者にとっては明らかである。したがって、これらの本発明の改変は、添付の請求項及びそれらの請求項と均等範囲に符合すると、本発明に含まれるものとして理解されるべきである。
【図１】
0005134134.tif 000020
【図２】
0005134134.tif 000021
【図３】
0005134134.tif 000022
【図４】
0005134134.tif 000023
【図５】
0005134134.tif 000024
【図６】
0005134134.tif 000025
【図７】
0005134134.tif 000026
【図８】
0005134134.tif 000027
【図９】
0005134134.tif 000028
【図１０】
0005134134.tif 000029